(57)【要約】【課題】マイナスイオンを多く含んだエアカーテン（空気流の層）を形成するエアカーテン発生装置を提供する。【解決手段】円周上に沿って連設された多数の回転送風板１３と、これらの回転送風板１３を回転駆動するモーター３とを具備するエアーカーテン発生装置１であって、多数の回転送風板３にマイナスイオン発生粉体塗料が塗布されている。このマイナスイオン発生粉体塗料は、マイナスイオン発生剤と、マイナスイオンの発生を誘発する誘発剤とを含む。【選択図】図１
2004003720.tif 000002
【特許請求の範囲】
【請求項１】
円周上に沿って連設された多数の回転送風板と、これらの回転送風板を回転駆動するモーターとを具備するエアーカーテン発生装置であって、前記多数の回転送風板にマイナスイオン発生粉体塗料が塗布されていることを特徴とするエアーカーテン発生装置。
【請求項２】
前記マイナスイオン発生粉体塗料は、マイナスイオン発生剤と、マイナスイオンの発生を誘発する誘発剤とを含むことを特徴とする請求項１記載のエアーカーテン発生装置。
【請求項３】
前記マイナスイオン発生剤は酸化鉄エローイオン粉末であり、前記誘発剤は遠赤外線発生源セラミックス粉末であることを特徴とする請求項２記載のエアーカーテン発生装置。
【請求項４】
円周上に沿って連設された多数の回転送風板と、この回転送風板を回転駆動するモーターとを具備するエアーカーテン発生装置であって、前記多数の回転送風板は、マイナスイオン発生粉体が添加された樹脂を一体成形して成ることを特徴とするエアーカーテン発生装置。
【請求項５】
前記マイナスイオン発生粉体は、マイナスイオン発生剤と、マイナスイオンの発生を誘発する誘発剤とを含むことを特徴とする請求項４記載のエアーカーテン発生装置。
【請求項６】
前記マイナスイオン発生剤は酸化鉄エローイオン粉末であり、前記誘発剤は遠赤外線発生源セラミックス粉末であることを特徴とする請求項５記載のエアーカーテン発生装置。
【請求項７】
円周上に沿って連設された多数の回転送風板と、これらの回転送風板を回転駆動するモーターとを具備するエアーカーテン発生装置であって、前記多数の回転送風板から送られる空気が通過する位置にマイナスイオン発生装置を組み込んだことを特徴とするエアーカーテン発生装置。
【発明の詳細な説明】
【０００１】
【発明の属する技術分野】
本発明は、エアカーテン（空気流の層）を発生するエアーカーテン発生装置に関するものであり、特にマイナスイオン発生機能を付加したエアーカーテン発生装置に関する。
【０００２】
【従来の技術】
一般に、マイナスイオンに富んだ空気は人体内の酸化物をアルカリ性に中和して、細胞を活性化させ、人体の生理作用を快調にするとともに、人間が本来持っている自然治癒力を高める働きがあるとされ、注目されている。
【０００３】
ところで、ＯＡ機器や電化製品に囲まれた室内や、タバコの煙が立ち込める空間、排気ガス等で大気の汚染された空間では、プラスイオンが増加しマイナスイオンが不足している状態になり、このような環境下では人体には、めまい、頭痛、肩こり、吐き気、イライラ、不眠といった不快な症状が現れると言われている。
【０００４】
そこで、最近ではマイナスイオンを発生させる機能を持った機器が開発されるに至っている。従来、そのような機器では放電を利用したマイナスイオン発生装置を内蔵化する方法が一般的であった。
【０００５】
【発明が解決しようとする課題】
しかし、放電を用いる方法によればマイナスイオンを非常に多量に発生できる反面、人体に有害とされるオゾンが発生するという問題並びに放電を利用するためその分機器の消費電力が増大してしまうという問題があった。
【０００６】
そこで、本発明はオゾン等の有害物を発生させるおそれがなく、しかも省エネルギーでマイナスイオンを発生する機能を付加したエアカーテン発生装置を提供することを目的とする。
【０００７】
【課題を解決するための手段】
本発明のエアカーテン発生装置は、円周上に沿って連設された多数の回転送風板と、これらの回転送風板を回転駆動するモーターとを具備するエアーカーテン発生装置であって、前記多数の回転送風板にマイナスイオン発生粉体塗料が塗布されていることを特徴とするものである。このエアカーテン発生装置によればマイナスイオンを多く含んだエアカーテン（空気流の層）が形成される。
【０００８】
また、上記エアーカーテン発生装置の複数の回転送風板は、マイナスイオン発生粉体添加された樹脂を一体成形することで製作することもできる。
【０００９】
【発明の実施の形態】
以下、本発明の実施の形態について図面を参照しながら説明する。図１は、本発明の実施形態に係るエアカーテン発生装置の正面図、図２は図１のエアカーテン発生装置に組み込まれる回転送風ユニットの斜視図、図３は図１のＸ−Ｘ線に沿った断面図、図４は図１のエアカーテン発生装置の断面構造を示す概略図である。
【００１０】
このエアカーテン装置１の構成は、円盤状の支持枠２Ａ，２Ｂに回転送風ユニット１０が回転軸１１を中心として回転可能に取り付けられ、支持枠２Ａには前記回転送風ユニット１０を回転駆動する回転駆動するモーター３が取り付けられ、さらに支持枠２Ａ，２Ｂを支持板４Ａ，４Ｂが支持固定している。
【００１１】
上記の回転送風ユニット１０の構成は、支持円板１２Ａ，１２Ｂの円周に沿って多数の細長の回転送風板１３が連設されている。そして、各回転送風板１３の両端は支持板４Ａ，４Ｂに固定されている。また、支持円板１２Ａ，１２Ｂの中心を通るように回転軸１１が設けられている。
【００１２】
さらに、これらの回転送風板１３を支持し、その強度を補強するための補強円板１４Ａ，１４Ｂが設けられている。回転送風ユニット１０の回転軸１１の一端は、モーター３のモーター回転軸５に連結され、他端は支持枠２Ｂの軸受け部６に回転自在に取り付けられている。
【００１３】
そして、各回転送風板１３にはマイナスイオン発生粉体塗料が塗布されている。そのため、モーター３の始動に伴い、回転送風ユニット１０が回転し、回転送風板１３からマイナスイオンが発生し、マイナスイオンを含んだ空気が一方向に送風されることでエアカーテンが形成される。ここで、モーター３の回転数をスイッチで切り替えることで、送風強度を例えば強、中、弱に切り替えることができ、これによりマイナスイオン量も調節される。
【００１４】
上記のマイナスイオン粉体塗料について詳しく説明すると、この特殊塗料は、マイナスイオン発生剤と、このマイナスイオン発生剤からのマイナスイオンの発生を誘発、促進する作用を有する誘発剤とを含むものである。これは、マイナスイオン発生剤だけでは十分なマイナスイオンを発生することができないため、特殊な誘発剤を添加したものである。
【００１５】
本発明者が実験的に用いたマイナスイオン発生粉体塗料の組成例は、顔料（所望の着色に応じて、例えば白系の酸化チタン、レッド系の有機顔料、ブルー系無機顔料）、マイナスイオン発生剤として酸化鉄エローイオンの粉末、誘発剤として遠赤外線発生源セラミックスを重量比で３５．２％、ポリエステル樹脂（硬化剤を含む）を重量比で８３．６％、その他、流れ調整剤等の添加剤を重量比で１．２％、それぞれ含むものである。しかしながら、この組成比に限定されるものではなく、適宜必要なマイナスイオン発生量に応じて、マイナスイオン発生剤、誘発剤の重量比を増減してもよい。また、マイナスイオン発生剤として、トルマリン粉末を用いてもよいと考えられる。
【００１６】
上記のように調合されたマイナスイオン発生粉体塗料を各回転送風板１３の両面又は片面に静電粉体塗装法により、５０μｍ〜７０μｍ程度の厚さにスプレー塗布する。この際、前処理として回転送風板１３の材質に応じて、リン酸亜鉛、リン酸鉄、クロメート、ノンクロメート等を用いた化成処理を施すことが好ましい。また、焼き付け処理としての回転送風板１３の温度を例えば１８０℃程度に加熱する共に、この過熱状態を２０分程度の間保持することが好ましい。
【００１７】
また、この各回転送風板１３の形成工程を簡単に説明すると、まず素材となる金属薄板をプレス加工により、細板状に成形し、静電粉体塗装法によりスプレー塗布する。なお、プレス加工後に上記塗装処理を行う理由は、逆の手順で製造すると、プレス切削面に塗料が塗布されないこと、及びプレス時に金属板の切削端にバリが発生し、バリを除去する際に塗料が剥げ落ちてしまうおそれがあること等である。また、回転送風板１３の素材としては金属材に限らず、樹脂材料等でもよい。その場合には射出成形により一体成形後に、上記の塗装処理を行えばよい。
【００１８】
また、回転送風板１３を、上述した組成のマイナスイオン発生粉体（マイナスイオン発生剤及び誘発剤）が添加された樹脂を射出成形により一体成形して作製することもできる。例えば溶融樹脂にマイナスイオン発生剤として、酸化鉄エローイオン粉末、誘発剤として、遠赤外線発生源セラミックス粉末を適量添加して均一組成となるように練り込む。そして、射出成形により、所望の形状の回転送風板１３を作製する。
【００１９】
なお、回転送風板１３を支持する補強円板１４Ａ，１４Ｂや支持円盤１２Ａ、１２Ｂについても同様にマイナスイオン発生粉体塗料を塗布してもよい。また、補強円板１４Ａ，１４Ｂや支持円盤１２Ａ、１２Ｂを、マイナスイオン発生粉体（マイナスイオン発生剤及び誘発剤）が添加された樹脂を射出成形により一体成形して作製してもよい。
【００２０】
また、上述した実施形態ではマイナスイオン発生粉体を用いてマイナスイオンを発生しているが、図５に示すように、エアカーテン発生装置１の本体内に市販のマイナスイオン発生装置５０を組み込んでも良い。市販のマイナスイオン発生装置は、放電を利用したものであり、オゾンが発生する欠点があるが、最近ではオゾン発生量を抑えた装置も開発されている。したがって、そのような低オゾンのマイナスイオン発生装置を本体内に組み込めば同様の効果が得られる。
【００２１】
図５では、マイナスイオン発生装置５０は支持板４Ａに取り付けた例を示したが、回転送風板１３からの空気が通過する位置あれば本体内のどこに取り付けても良い。ただし、空気の吹き出し口付近に設置すると送風の妨げになるので、吹き出し口から離れた位置に設置することが好ましい。
【００２２】
次に、上述のように構成されたエアカーテン発生装置１の設置例について説明する。このエアカーテン発生装置１は、図６に示すように、例えば扉が設置されていないか開放されている店舗の出入口の内壁３０に取り付けられる。例えばエアカーテン発生装置１の支持４Ａ，４Ｂを内壁３０に螺旋止めすれば簡単に取り付けできる。エアカーテン発生装置１を運転すると、マイナスイオンを多量に含んだダウンフローの空気流により、店舗の出入口にエアカーテン２が形成される。そうすると、このエアカーテン２は、空気遮断層として働くため、外気が室内に流入したり、逆に室内空気が屋外に流出する事が防止され、断熱効果や外気遮断効果を発揮する。
【００２３】
この断熱効果により室内のエアコン３１からの冷風又は温風が屋外に逃げるのが防止される。また外気遮断効果により、屋外の排気ガス等を含んだ汚染空気が室内に流入するのが防止される。そして、このエアカーテン発生装置１によればマイナスイオンに富んだエアカーテン２が形成されるため、来客はエアカーテン２を通過することで、一時的にマイナスイオンのシャワーを浴びることができる。また、エアカーテン２の空気流は室内を対流するから、室内全体にもマイナスイオンが行き渡り、来客及び店員の健康増進、ひいては店舗の集客力の増大に寄与することが期待される。
【００２４】
また、例えば高速道路の料金所は、自動車の排気ガスにより空気環境の最も劣悪な場所の一つであるが、料金所の窓口にこのエアカーテン発生装置１に設置することで、料金所内の空気環境を良好にし、係員の健康維持に寄与することができる。
【００２５】
【発明の効果】
本発明のエアカーテン発生装置によれば、マイナスイオンを多く含んだエアカーテン（空気流の層）が形成されるので、店舗の出入り口等に設置することで、来客や店員がマイナスイオンを浴びることができ、健康増進、集客力の増大に寄与することができる。また、マイナスイオン発生源として、マイナスイオン発生粉体を用いているので、オゾン等の有害物質を発生せず安全であると共に、省エネルギー商品であるという利点も有している。
【図面の簡単な説明】
【図１】本発明の実施形態に係るエアカーテン発生装置の正面図である。
【図２】図１のエアカーテン発生装置に組み込まれる回転送風ユニットの斜視図である。
【図３】図３は図１のＸ−Ｘ線に沿った断面図である。
【図４】図４は図１のエアカーテン発生装置の断面構造を示す概略図である。
【図５】図４は図１のエアカーテン発生装置の他の断面構造を示す概略図である。
【図６】本発明の実施形態に係るエアカーテン発生装置の設置例を示す図である。
【符号の説明】
１　エアカーテン発生装置　　２Ａ　支持枠　　２Ｂ　支持枠
３　モーター　　４Ａ　支持板　　４Ｂ　支持板　　５　モーター回転軸
６　軸受け部　　１０　回転送風ユニット　　１１　回転軸
１２Ａ　支持円板　　１２Ｂ　支持円板　　１３回転送風板　　１４Ａ　補強板
１４Ｂ　補強板
【図１】
2004003720.tif 000003
【図２】
2004003720.tif 000004
【図３】
2004003720.tif 000005
【図４】
2004003720.tif 000006
【図５】
2004003720.tif 000007
【図６】
2004003720.tif 000008